【事件の表示】
　特許第３３１５７５１号「ディスク装置」の請求項１ないし７に係る特許に対する特許異議の申立てについて、次のとおり決定する。
【結　論】
　訂正を認める。
　特許第３３１５７５１号の請求項１に係る特許を取り消す。
　同請求項２に係る特許を維持する。
【理　由】
［１］手続の経緯 
　特許第３３１５７５１号の請求項１〜７に係る発明についての出願は、平成５年３月２２日に出願され、平成１４年６月７日に設定登録され、その後、西郷純一により特許異議の申立てがなされ、取消理由通知がなされ、その指定期間内である平成１５年６月２４日に特許異議意見書及び訂正請求書が提出されたものである。
　
［２］訂正の適否についての判断 
２−１　特許権者が求めている訂正の内容
訂正事項（１）
　特許請求の範囲を以下の請求項１および２のとおりに訂正する。
「【請求項１】　機器本体に取り付けられたノーズに、互いに幅寸法と厚み寸法が相違するディスクである、カートリッジに収納されたディスクと、カートリッジに収納されないディスクとが共通に挿入される挿入孔が開口しており、
　前記挿入孔は、前記カートリッジに収納されたディスクが挿入される第１の挿入部と、前記カートリッジに収納されないディスクが挿入される第２の挿入部とを有し、
　前記第１の挿入部と前記第２の挿入部は、その開口幅寸法および開口厚み寸法が互いに相違して、前記第１の挿入部は前記第２の挿入部よりも開口厚み寸法が大きく且つ開口幅寸法が小さく、
　両挿入部が連続して形成されて、前記挿入孔の開口幅寸法が、前記第２の挿入部の開口幅寸法に一致し、前記第１の挿入部の開口厚み内に、前記第２の挿入部の開口厚みが含まれ、前記第１の挿入部が、前記第２の挿入部の一方の側から開口厚み方向へ拡開して形成されており、
　前記カートリッジに収納されたディスクは、前記第１の挿入部内で幅方向に規制されて前記第１の挿入部のみから機器本体内に挿入可能とされていることを特徴とするディスク装置。
　【請求項２】　前記第１の挿入部と前記第２の挿入部は、開口幅寸法の中心が互いに一致し、前記機器本体内には、前記中心をディスク挿入方向へ延長した位置に、カートリッジに収納されたディスクが設置される第１のテーブルと、カートリッジに収納されないディスクが設置される第２のテーブルとが、前記第１の挿入部から挿入される前記ディスクのセンターホールの移動経路上において、駆動軸で前記第１テーブルが駆動され前記第１のテーブルを介して前記第２のテーブルが駆動されるように設けられている請求項１記載のディスク装置。」
　
訂正事項（２）
　詳細な説明の【０００９】【００１０】の記載を以下のとおり訂正する。「【０００９】　
　【課題を解決するための手段】　
　上記目的を達成するための本発明は、機器本体に取り付けられたノーズに、互いに幅寸法と厚み寸法が相違するディスクである、カートリッジに収納されたディスクと、カートリッジに収納されないディスクとが共通に挿入される挿入孔が開口しており、
　前記挿入孔は、前記カートリッジに収納されたディスクが挿入される第１の挿入部と、前記カートリッジに収納されないディスクが挿入される第２の挿入部とを有し、
　前記第１の挿入部と前記第２の挿入部は、その開口幅寸法および開口厚み寸法が互いに相違して、前記第１の挿入部は前記第２の挿入部よりも開口厚み寸法が大きく且つ開口幅寸法が小さく、
　両挿入部が連続して形成されて、前記挿入孔の開口幅寸法が、前記第２の挿入部の開口幅寸法に一致し、前記第１の挿入部の開口厚み内に、前記第２の挿入部の開口厚みが含まれ、前記第１の挿入部が、前記第２の挿入部の一方の側から開口厚み方向へ拡開して形成されており、
　前記カートリッジに収納されたディスクは、前記第１の挿入部内で幅方向に規制されて前記第１の挿入部のみから機器本体内に挿入可能とされていることを特徴としている。
　【００１０】
　上記構成において、　前記第１の挿入部と前記第２の挿入部は、開口幅寸法の中心が互いに一致し、前記機器本体内には、前記中心をディスク挿入方向へ延長した位置に、カートリッジに収納されたディスクが設置される第１のテーブルと、カートリッジに収納されないディスクが設置される第２のテーブルとが、前記第１の挿入部から挿入される前記ディスクのセンターホールの移動経路上において、駆動軸で前記第１のテーブルが駆動され前記第１のテーブルを介して前記第２のテーブルが駆動されるように設けられていることが好ましい。」
　
２−２　訂正の目的の適否、新規事項の有無及び拡張・変更の存否
〈　訂正事項（１）について　〉
　訂正された請求項１について
　訂正された請求項１は、訂正前の請求項１に、訂正前の請求項２，３と請求項５の一部を追加したものである。
　さらに訂正された請求項１は、「互いに幅寸法が相違するディスクである、カートリッジに収納されたディスクと、カートリッジに収納されないディスクと」を「互いに幅寸法と厚み寸法が相違するディスクである、カートリッジに収納されたディスクと、カートリッジに収納されないディスクと」に訂正するものである。
　この訂正された「互いに幅寸法と厚み寸法が相違するディスクである、」「ディスク」は、「このディスク挿入孔１１にカートリッジに収納された
ディスク
ディスク
　
　訂正された請求項２について
　訂正された請求項２は、訂正前の請求項４の「前記第１の挿入部と前記第２の挿入部は、開口幅寸法の中心が互いに一致し」に、訂正前の請求項７を追加し、請求項７における「カートリッジに収納されたディスクとカートリッジに収納されないディスクが共に載置可能なターンテーブル」について、「カートリッジに収納されたディスクが設置される第１のテーブルと、カートリッジに収納されないディスクが設置される第２のテーブルとが、前記第１の挿入部から挿入される前記ディスクのセンターホールの移動経路上において、駆動軸で前記第１テーブルが駆動され前記第１のテーブルを介して前記第２のテーブルが駆動されるように」と限定するものである。これは、「上記ターンテーブル３０は、ミニディスクＭＤ内のディスクＤが設置される第１のテーブル３１と、コンパクトディスクＣＤが設置される第２のテーブル３２とがモータ２２の駆動軸２２ａに共通に取り付けられている。」（【００１５】）、「図４と図５に示すように、第２のテーブル３２は、モータ２２の駆動軸２２ａに対して回転自在に遊挿される遊挿孔３２ｃが中心に形成されたほぼ円板形状のものである。この上面側には遊挿孔３２ｃを中心としてコンパクトディスクＣＤのセンターホール１に挿入される台形状の凸部３２ａが形成されている。この凸部３２ａの上面には遊挿孔３２ｃを中心とする円形状の凹部３２ｄが形成され、この底部３２ｅ上にプラスチックなどで形成された低摩擦部材３３が貼着されている。第１のテーブル３１の下部は上記凹部３２ｄ内に入り、第１のテーブル３１の底面は前記低摩擦部材３３上に当接している。」（【００１７】）、「これにより、挿入部１１ａを介してミニディスクＭＤを挿入した場合、ミニディスクＭＤ内のディスクＤのセンターホール３の移動経路上にターンテーブル３０の中心が常に一致するようになり、確実な装填動作を行わせることができる。」（【００２３】）、「モータ２２が回転駆動されると、この駆動力は第１のテーブル３１、低摩擦部材３３を介して第２のテーブル３２に伝達されて、このテーブル３２上にクランプされたコンパクトディスクＣＤが回転駆動される。」（【００２４】）との記載に基づくものである。
　したがって、訂正事項（１）は、特許請求の範囲の減縮を目的とした訂正に該当し、新規事項の追加に該当するものではない。
　
〈　訂正事項（２）　〉について
　記訂正事項（２）は、上記訂正事項（１）による訂正に伴って生じる明細書の記載の不整合を正すものであるから、明りょうでない記載の釈明を目的とする訂正に該当し、新規事項の追加に該当するものではない。
　
　また、上記訂正事項（１）、（２）は、実質上特許請求の範囲を拡張し、又は変更するものでもない。
　
２−３　むすび
　以上のとおりであるから、上記訂正は、平成６年法律第１１６号附則第６条第1項の規定により、なお従前の例によるとされる特許法第１２０条の４第３項において準用する特許法第１２６条第１項ただし書き及び同条第2項の規定に適合するので、当該訂正を認める。
　
［３］特許異議の申立てについての判断
３−１　特許異議申立ての概要 
　異議申立人西郷純一は訂正前の請求項１〜７に係る発明は、甲第１号証及び甲第２号証に記載された発明に基づいて当業者が容易になし得た発明であり、特許法第２９条第２項の規定により特許を受けることができないものである旨主張している。
　甲第１号証：実願平３−６４１６号（実開平５−４３４８号）のＣＤ−ＲＯＭ
　甲第２号証：特開平１−１５０２７１号公報
　
３−２　対比・判断
１．本件発明１について
　本件特許第３３１５７５１号の請求項１に係る発明（以下、本件発明１」という。）は、訂正明細書の特許請求の範囲の請求項１に記載された事項により特定されるとおりのものである（上記［２］２−１　訂正事項（１）を参照。）。
　
（１）　刊行物
　当審で、平成１５年４月１４日付けで通知した取消しの理由に引用された刊行物１（甲第１号証：実願平３−６４１６号（実開平５−４３４８号）のＣＤ−ＲＯＭ）には、
「【０００８】
　図１は本考案の一実施例の斜視図である。図１に示す実施例は，相異る径の２種類のフロッピィディスクとして使用頻度の高い５インチＦＤ（フロッピィディスク）と３．５インチＦＤを運用する場合を例として，５インチＦＤドライブ１と，３．５インチＦＤドライブ２と，これら２つのＦＤドライブに排他的にいずれか１つのＦＤを装てんさせる挿入部３を備えて成り，図１にはなお，挿入部３の一部を構成し，きょう体８に配設した５インチＦＤ挿入スロット４と３．５インチＦＤ挿入スロット５および５インチＦＤを取り出すための５インチＦＤ排出キー６と３．５インチＦＤを取り出すための３．５ＦＤ排出排出キー７を併記して示す。」と、
　図１には、３．５インチＦＤ挿入スロットと５インチＦＤ挿入スロットが、きょう体８の前面に、段差を有して連通した形状であって、５インチＦＤ挿入スロット側から３．５インチＦＤ挿入スロットへ、上下両側に拡開した形状に記載されている。
　そして、３．５インチＦＤの厚みが５インチＦＤの厚みよりも厚いことは周知であって、挿入スロットは、３．５インチＦＤ及び５インチＦＤが挿入可能に、幅と厚みを有して開口されていることは明かであるから、
　これらの記載から、刊行物１には、
「きょう体８の前面に、３．５インチＦＤと、５インチＦＤとが共通に挿入される挿入部が開口しており、
　挿入部は、３．５インチＦＤ挿入スロットと、５インチＦＤ挿入スロットとを有し、
　３．５インチＦＤ挿入スロットと５インチＦＤ挿入スロットは、その開口厚み及び開口幅が互いに相違して、３．５インチＦＤ挿入スロットは、５インチＦＤ挿入スロットよりも厚み寸法が大きく且つ幅寸法が小さく、
　両挿入スロットが連続して形成されて、挿入部の幅寸法が、５インチＦＤ挿入スロットに一致し、３．５インチＦＤ挿入スロットの厚み内に、５インチＦＤ挿入スロットの厚みが含まれ、５インチＦＤ挿入スロットの上下両側から３．５インチＦＤ挿入スロットの厚み方向へ拡開して形成されており、
　３．５インチＦＤは、３．５インチＦＤ挿入スロット内に規制されて、３．５インチＦＤ挿入スロットのみからきょう体に挿入可能とされているフロッピィディスクドライブ装置。」（以下、「引用発明１」という。）が記載されていると認められる。
　
　また、同じく刊行物２（甲第２号証：特開平１−１５０２７１号公報）には、
「単一の駆動モータ１１を駆動源として共用して３．５インチＦＤ２０の磁気ディスク２２と５インチＦＤ３０の磁気ディスク３２の回転駆動を行なうようになっている。」（第３頁右上欄第１２行〜第１５行）、
「即ちまずスピンドル軸１８の上端部には３．５インチＦＤ２０の磁気ディスク２２を保持する保持部材として円盤状のスピンドルハブ２５が固着される。」（第３頁右下欄第１行〜第４行）、
「一方スピンドル軸１８の下端には５インチＦＤ３０の磁気ディスク３２を保持する保持部材としてスピンドル１９が取り付けられる。」（第３頁右下欄第１５行〜第１７行）と記載されている。
　
（２）　対比
　本件発明１と引用発明１とを対比すると、
　引用発明１の「きょう体」「前面」「挿入部」「挿入スロット」は、
　本件発明１の「機器本体」「ノーズ」「挿入孔」「挿入部」に相当し、
　引用発明１の「３．５インチＦＤと５インチＦＤ」は、互いに幅寸法と厚み寸法を異にしており、本件発明１の「互いに幅寸法と厚み寸法を相違するディスク」に相当するから、
　両者は、
「機器本体に取り付けられたノーズに、互いに幅寸法と厚み寸法が相違するディスクである、２種の異なるディスクが共通に挿入される挿入孔が開口しており、
　前記挿入孔は、２種の異なるディスクのうち一方が挿入される第１の挿入部と、２種の異なるディスクのうち他方が挿入される第２の挿入部とを有し、
　前記第１の挿入部と前記第２の挿入部は、その開口幅寸法および開口厚み寸法が互いに相違して、前記第１の挿入部は前記第２の挿入部よりも開口厚み寸法が大きく且つ開口幅寸法が小さく、
　両挿入部が連続して形成されて、前記挿入孔の開口幅寸法が、前記第２の挿入部の開口幅寸法に一致し、前記第１の挿入部の開口厚み内に、前記第２の挿入部の開口厚みが含まれ、前記第１の挿入部が、前記第２の挿入部から開口厚み方向へ拡開して形成されており、
　２種の異なるディスクのうち一方は、前記第１の挿入部内で幅方向に規制されて前記第１の挿入部のみから機器本体内に挿入可能とされていることを特徴とするディスク装置。」で一致し、
　以下の２点で相違する。
　　１．２種の異なるディスクが、本件発明１では、カートリッジに収納されたディスクと、カートリッジに収納されないディスクであるのに対して、引用発明１では、３．５インチＦＤと、５インチＦＤである点。
　　２．第１の挿入部が第２の挿入部から開口厚み拡開する方向が、本件発明１では、一方の側からであるのに対して、引用発明１では、両側からである点。
　
（３）　判断
　相違点１について
　カートリッジに収納されたディスク（ミニディスクＭＤ）と、カートリッジに収納されないディスク（コンパクトディスク）は周知であり、両者を単一の再生装置で駆動可能であることを鑑みれば、引用発明１における、３．５インチＦＤと５インチＦＤの組合せを、カートリッジに収納されたディスク（ミニディスクＭＤ）と、カートリッジに収納されないディスク（コンパクトディスク）とすることは、当業者が容易に推考できることと認める。
　
　相違点２について
　第１の挿入部が、第２の挿入部の一方の側から開口厚み方向へ拡開する形状は周知（特開昭６３−１７７３５６号公報参照）であり、また、一方の側及び両側から拡開する挿入部の形状が、本願の出願当初の明細書に等価に記載されている以上、引用発明１において、拡開する構成を一方の側からとすることは、当業者が容易に推考できることである。
　
　なお、特許権者は、特許異議意見書の「（４）本件発明と刊行物に記載の発明との対比（請求項１について）」に、刊行物１について「３．５インチＦＤと５インチＦＤは、共にケースに収納されているものであるため、厚みにおおきな差がなく、・・・・・前記挿入スロット５のみから挿入できるのか否かは全く不明である。」と記載しているが、大小に関わらず、段差が被挿入物の案内手段になることは明かであり、このような主張は採用できない。
　
２．本件発明２について
　本件特許第３３１５７５１号の請求項２に係る発明（以下、「本件発明２」という。）は、訂正明細書の特許請求の範囲の請求項２に記載された事項により特定されるとおりのものである（上記［２］２−１　の訂正事項（１）を参照。）。
　
　本件発明２は本件発明１に対して、さらに構成を限定するものである。
　限定された構成のうち、「前記中心をディスク挿入方向へ延長した位置に、カートリッジに収納されたディスクが設置される第１のテーブルと、カートリッジに収納されないディスクが設置される第２のテーブルとが、前記第１の挿入部から挿入される前記ディスクのセンターホールの移動経路上において、駆動軸で前記第１テーブルが駆動され前記第１のテーブルを介して前記第２のテーブルが駆動されるように設けられている」点は、刊行物１（甲第１号証）にも、刊行物２（甲第２号証）にも記載されていない事項であり、特許異議申立人が主張する理由及び証拠によっては、当業者が本件発明２を容易に発明できたということはできない。
　
３−３　むすび
　以上のとおりであって、本件発明１は、特許法第２９条第２項の規定により特許を受けることができないものであるから、本件発明１についての特許は拒絶の査定をしなければならない特許出願に対してされたものであると認める。
　また、本件発明２についての特許は、異議申立ての理由及び証拠方法によっては取り消すことができず、他に取り消すべき理由を発見しない。
　よって、特許法等の一部を改正する法律(平成６年法律第１１６号)附則第１４条の規定に基づく、特許法等の一部を改正する法律の施行に伴う経過措置を定める政令(平成７年政令第２０５号)第４条第２項の規定により結論のとおり決定する。
【異議決定日】
平成１５年８月２７日（２００３．８．２７）
【訂正の要旨】
審決（決定）の【理由】欄参照。
（５４）【発明の名称】
ディスク装置
（５７）【特許請求の範囲】
　【請求項１】　機器本体に取り付けられたノーズに、互いに幅寸法
と厚み寸法
　前記挿入孔は、前記カートリッジに収納されたディスクが挿入される第１の挿入部と、前記カートリッジに収納されないディスクが挿入される第２の挿入部とを有し、
　前記第１の挿入部と前記第２の挿入部は、その開口幅寸法および開口厚み寸法が互いに相違
して、前記第１の挿入部は前記第２の挿入部よりも開口厚み寸法が大きく且つ開口幅寸法が小さく、
　両挿入部が連続して形成
されて、
前記第２の
、前記第１の挿入部の開口厚み内に、前記第２の挿入部の開口厚みが含まれ、前記第１の挿入部が、前記第２の挿入部の一方の側から開口厚み方向へ拡開して形成されており、
　
前記カートリッジに収納されたディスクは、前記第１の挿入部内で幅方向に規制されて前記第１の挿入部のみから機器本体内に挿入可能とされている
　【請求項
２
前記第１の挿入部と前記第２の挿入部は、開口幅寸法の中心が互いに一致し、
が設置される第１のテーブル
設置される第２のテーブルとが、前記第１の挿入部から挿入される前記ディスクのセンターホールの移動経路上において、駆動軸で前記第１のテーブルが駆動され前記第１のテーブルを介して前記第２のテーブルが駆動されるように
請求項１記載
【発明の詳細な説明】
　【０００１】
　【産業上の利用分野】
　本発明は、カートリッジに収納されないコンパクトディスクなどや、カートリッジに収納されたミニディスクなどの異なる規格のディスクを共通の挿入孔から挿入できるディスク装置に関する。
　【０００２】
　【従来の技術】
　近年、音楽データなどをデジタル信号として記憶するコンパクトディスクが普及している。このコンパクトディスクは外径が１２０ｍｍのものとシングルコンパクトディスクと称される外径が８０ｍｍのものとがあるが、外径寸法を除けばいずれもレーザー光の照射により記録データの再生が行われる点で同様のものである。また、最近では、外径寸法をさらに小寸法としたミニディスクと称される情報記録媒体が提案されている。このミニディスクとコンパクトディスクとは、ディスク自体の外径寸法が異なる他、コンパクトディスクがカートリッジに収納されない状態で使用されるのに対して、ミニディスクはディスクがカートリッジに収納された状態で使用される点で相違する。一方、同程度の出力のレーザー光を照射することで、両ディスクに記録された情報を読み出すことができる点で両種のディスクには共通点がある。
　【０００３】
　この両ディスク外観構造などを図８と図９に示す。図８は、コンパクトディスクを示す上面図、図９（Ａ），（Ｂ）はミニディスクを示す上面図と側面図、図１０は図９に示すカートリッジ内部に収納されたディスクＤの断面図である。図８に示すコンパクトディスクＣＤは、外径寸法が１２０ｍｍであって、中心に形成されたセンターホール１の内径寸法は１５ｍｍである。また、データは中心に対する直径５０ｍｍの円１ａよりも外側の領域に記録される規格となっている。図９に示すミニディスクＭＤは、カートリッジＣＴ内部に図１０に示す外径が６４ｍｍのディスクＤが収納されている。このディスクＤの中心には内径寸法が１１ｍｍのセンターホール３が形成され、このセンターホール３を中心とするクランピングエリアＤ１の上部に金属製のクランピングプレート２が取り付けられている。また、このディスクＤでは、中心に対する直径がほぼ１７ｍｍの円の外側の領域にデータが記録される規格となっている。
　【０００４】
　【発明が解決しようとする課題】
　上記コンパクトディスクＣＤとミニディスクＭＤを共通のディスク装置で駆動する場合、これら両ディスクをいずれも装置内に挿入可能とする必要があるが、従来のディスク装置ではコンパクトディスクＣＤやシングルコンパクトディスクの厚みに対応した挿入孔が形成されているにすぎず、ミニディスクＭＤのようにカートリッジＣＴ内にディスクＤを収納させた厚み寸法が大きいものを挿入することはできないという問題があった。また、ミニディスクＭＤを挿入するための挿入孔を上記コンパクトディスクＣＤの挿入孔と別個に形成した場合、これら２つの挿入孔が装置の化粧面内で大きな専有面積を占めてしまい、装置の小型化が困難となる問題があった。
　【０００５】
　【０００６】
　【０００７】
　【０００８】
　そこで本発明は、カートリッジに収納されたディスクと、カートリッジに収納されない異なる規格のディスクを共通の挿入孔から挿入でき、装置の化粧面等における挿入孔の専有面積を減少して小型化を図ることができるディスク装置の提供を目的とする。
　【０００９】
　【課題を解決するための手段】
　上記目的を達成するための本発明は、機器本体に取り付けられたノーズに、互いに幅寸法
と厚み寸法
　前記挿入孔は、前記カートリッジに収納されたディスクが挿入される第１の挿入部と、前記カートリッジに収納されないディスクが挿入される第２の挿入部とを有し、
　前記第１の挿入部と前記第２の挿入部は、その開口幅寸法および開口厚み寸法が互いに相違
して、前記第１の挿入部は前記第２の挿入部よりも開口厚み寸法が大きく且つ開口幅寸法が小さく、
　両挿入部が連続して形成
されて、
前記第２の
、前記第１の挿入部の開口厚み内に、前記第２の挿入部の開口厚みが含まれ、前記第１の挿入部が、前記第２の挿入部の一方の側から開口厚み方向へ拡開して形成されており、
　
前記カートリッジに収納されたディスクは、前記第１の挿入部内で幅方向に規制されて前記第１の挿入部のみから機器本体内に挿入可能とされている
　【００１０】
　上記構成において、
前記第１の挿入部と前記第２の挿入部は、開口幅寸法の中心が互いに一致し、
が設置される第１のテーブル
設置される第２のテーブルとが、前記第１の挿入部から挿入される前記ディスクのセンターホールの移動経路上において、駆動軸で前記第１のテーブルが駆動され前記第１のテーブルを介して前記第２のテーブルが駆動されるように
　【００１１】
　【作用】
　上記手段では、カートリッジに収納されたディスクと、カートリッジに収納されないディスクとが共通の挿入孔から挿入される。この挿入孔は、カートリッジに収納されたディスクが挿入される第１の挿入部と、カートリッジに収納されないディスクが挿入される第２の挿入部とがその厚み方向において部分的に重なりあって形成されているので、各ディスクを挿入するための挿入孔を別個に形成した場合よりもノーズの化粧面等における専有面積を減少させることができ、装置の小型化に寄与するものである。
　【００１２】
　また、第１の挿入部は第２の挿入部よりも厚み寸法が大きく且つ幅寸法が狭く形成されており、この第１の挿入部からのみカートリッジに収納されたディスクが挿入可能とされ、且つ、この第１の挿入部によりカートリッジに収納されたディスクの幅方向における挿入位置が規制されるようにすれば、装置内に配置されるターンテーブルの中心と、カートリッジに収納されたディスクの中心の移動経路とを容易に一致させることができ、ターンテーブルに対する上記ディスクの装填動作が確実なものとなる。
　【００１３】
　【実施例】
　以下、本発明について図面を参照して説明する。図１は、一実施例としてのディスク装置の外観を示す斜視図、図２は、図１に示すディスク装置のディスク挿入孔を示す正面図、図３は、図１に示すディスク装置内部のターンテーブルを中心とする概略構造を示す上面図、図４は、図３に示すターンテーブルを中心とする側面断面図、図５は、図４に示すモータに取り付けられたターンテーブルの分解斜視図である。図１に示すディスク装置１０は、機器本体１３と、この機器本体１３の操作面側に取り付けられたノーズ１２とを備え、このノーズ１２の化粧面１２ａに各種操作スイッチ１２ｃや液晶などの表示部１２ｂなどと、単一のディスク挿入孔１１が形成されている。このディスク挿入孔１１にカートリッジに収納されたディスクとしてのミニディスクＭＤと、カートリッジに収納されないディスクとしてのコンパクトディスクＣＤの双方が共通に挿入される。
　【００１４】
　図２に示すように、ディスク挿入孔１１は、ミニディスクＭＤを挿入するための第１の挿入部１１ａと、コンパクトディスクＣＤを挿入するための第２の挿入部１１ｂとから形成されている。第２の挿入部１１ｂは両端部間の幅寸法Ｗ１が外形１２０ｍｍのコンパクトディスクＣＤを挿入できる寸法に設定され、また、その開口厚み寸法Ｔ１も同コンパクトディスクＣＤが挿入できる程度に設定されている。この第２の挿入部１１ｂの中心部分に上記第１の挿入部１１ａが形成されている。この第１の挿入部１１ａは、ミニディスクＭＤのカートリッジを遊挿できるように、上記開口厚みＴ１よりも大きい開口厚みＴ２としたもので、ミニディスクＭＤのカートリッジの幅寸法よりもやや大きな寸法Ｗ２の範囲に形成されている。このような形状からなるディスク挿入孔１１の奥部側、すなわち機器本体１３内部には両ディスクＣＤ，ＭＤを共通に回転駆動するディスク駆動部２０が設けられている。
　【００１５】
　図３乃至図５に示すように、ディスク駆動部２０は上記コンパクトディスクＣＤとミニディスクＭＤ内のディスクＤを共通に回転駆動するターンテーブル３０と、このターンテーブル３０を回転駆動する機器本体１３内の固定部１３ａに取り付けられたモータ２２と、上記ターンテーブル３０に載置されたコンパクトディスクＣＤなどの半径方向Ａ１及びＡ２へ移動する光ピックアップ２３と、図４に示すようにターンテーブル３０上方の離間した位置（イ）と、ターンテーブル３０上のコンパクトディスクＣＤをクランプする位置（ロ）との間を移動できるクランパ２１とを有している。上記ターンテーブル３０は、ミニディスクＭＤ内のディスクＤが設置される第１のテーブル３１と、コンパクトディスクＣＤが設置される第２のテーブル３２とがモータ２２の駆動軸２２ａに共通に取り付けられている。
　【００１６】
　第１のテーブル３１は磁性を帯びた円盤形状であり、モータ２２の駆動軸２２ａの先端部側（図示上側）に設けられたストップリング２２ｂに位置決めされた状態で固定され、第１のテーブル３１は常に駆動軸２２ａと一体に回転する。第１のテーブル３１の中心には駆動軸２２ａが挿入固定される貫通孔３１ｂが形成され、また上面３１ａの形状は、図４に示すミニディスクＭＤのクランピングプレート２の下面側に密着できるように形成され、貫通孔３１ｂの周囲には上記ストップリング２２ｂを収納する凹部３１ｃが形成されている。
　【００１７】
　図４と図５に示すように、第２のテーブル３２は、モータ２２の駆動軸２２ａに対して回転自在に遊挿される遊挿孔３２ｃが中心に形成されたほぼ円板形状のものである。この上面側には遊挿孔３２ｃを中心としてコンパクトディスクＣＤのセンターホール１に挿入される台形状の凸部３２ａが形成されている。この凸部３２ａの上面には遊挿孔３２ｃを中心とする円形状の凹部３２ｄが形成され、この底部３２ｅ上にプラスチックなどで形成された低摩擦部材３３が貼着されている。第１のテーブル３１の下部は上記凹部３２ｄ内に入り、第１のテーブル３１の底面は前記低摩擦部材３３上に当接している。第２のテーブル３２の上記凸部３２ａの外周部分には遊挿孔３２ｃを挟む両側にそれぞれ光ピックアップ用切欠部３２ｆと、固定部１３ａに設けられた停止部材１３ｂが挿入される停止用切欠部３２ｇが形成されている。
　【００１８】
　図３に示すように、停止部材１３ｂは固定部１３ａ上であって上記光ピックアップ２３の移動経路の延長線上に配置されている。そして、固定部１３ａの下側に配置された駆動部（図示しない）によって、停止部材１３ｂは図４にて（ホ）で示す上記第２のテーブル３２の下方へ離間した位置と、（へ）で示す停止用切欠部３２ｇへ挿入された位置との間で移動させられるようになっている。停止用切欠部３２ｇに停止部材１３ｂが挿入されたときには第２のテーブル３２がロック状態となり、このとき図３に示すように光ピックアップ用切欠部３２ｆが光ピックアップ２３の集光レンズ２３ａの移動経路上に位置することになる。光ピックアップ用切欠部３２ｆは、図４に示すように光ピックアップ２３がミニディスクＭＤの最内周側のデータの読み出し位置（ハ）に移動したときに、この上面側に形成された集光レンズ２３ａからミニディスクＭＤに向けて照射されるレーザー光を通過させるように形成されている。
　【００１９】
　すなわち、前述したようにコンパクトディスクＣＤのデータ領域は、センターホールを中心する直径５０ｍｍの位置から開始される。従って、コンパクトディスクＣＤに書き込まれたデータを読み出す場合には、光ピックアップ２３は図４に（ニ）で示す読み出し位置に移動させれば、データ領域の最内周側の最初のデータから読み出すことができる。一方、ミニディスクＭＤ内のディスクＤのデータ領域はセンターホール３を中心とする内径１７ｍｍの位置から開始される。従って、このディスクＤのデータ領域の最初のデータから読み出す場合には、図４に（ハ）で示す位置まで光ピックアップ２３をセンターホール側にさらに移動させる必要がある。ここで、上記ターンテーブルでは、光ピックアップ２３が（ハ）で示す位置に移動したときであっても、照射されるレーザー光が光ピックアップ用切欠部３２ｆに対向するようになり、テーブルにより遮断されることがない。
　【００２０】
　図４と図５に示すように、第２のテーブル３２の下側には圧縮スプリング３４が配置され、この下端部は駆動軸２２ａに取り付けられたストップリング２２ｃの上面に当接している。また第２のテーブル３２の下面側には遊挿孔３２ｃの周囲にスプリング用凹部３２ｈが形成され、ここに圧縮スプリング３４が圧縮された状態で収納される。
　【００２１】
　以上の構造を備えた第１と第２のテーブル３１，３２と、低摩擦部材３３、圧縮スプリング３４がモータ２２の駆動軸２２ａに組み付けられると、圧縮スプリング３４の弾性力によって第１のテーブル３１と第２のテーブル３２とが低摩擦部材３３を介して弾性的に圧接された状態となる。この状態では、駆動軸２２ａに固定された第１のテーブル３１が駆動されると、第２のテーブル３２は低摩擦部材３３を介して駆動軸２２ｃの駆動力が伝達されて回転されることになる。また前記停止部材１３ｂにより第２のテーブル３２がロックされると、低摩擦部材３３を介して第１のテーブル３１と第２のテーブル３２とが低負荷にてスリップし、駆動軸２２ａに固定された第１のテーブル３１のみが回転駆動される。
　【００２２】
　図４に示すように、上記クランパ２１はターンテーブル３０との対向端面側が開口された有底円筒状のものであり、クランプ軸２１ａに対して回転自在に支持されている。また、クランパ２１の筒状部の内部深さ寸法αは、（ロ）で示すクランプ位置に移動したときに、第１のテーブル３１と接触しないように形成されている。このクランパ２１は、ターンテーブル３０の第２のテーブル３２上にコンパクトディスクＣＤが載置されたときに、コンパクトディスクＣＤの上面を直接に弾性的に押えるようになっている。またミニディスクＭＤが装填されたときにも、クランパ２１が下降するが、このときには、クランパ２１がカートリッジＣＴの上面に弾性的に圧接し、カートリッジＣＴの押え部材として機能する。
　【００２３】
　以上の構造を備えたディスク装置の動作について説明する。図１および図２に示すように、ノーズ１２にはミニディスクＭＤとコンパクトディスクＣＤが共通に挿入できるディスク挿入孔１１が形成されている。このディスク挿入孔１１の第１の挿入部１１ａは、その厚み方向（図示上部側）において第２の挿入部１１ｂと部分的に重なりあっている。すなわち、図２において二点鎖線で示すように、ミニディスクＭＤの挿入領域がコンパクトディスクＣＤの挿入領域と部分的に重なるように第１の挿入部１１ａの開口厚み寸法Ｔ２が設定されている。従って、各ディスクを挿入する挿入孔を別個に形成した場合よりも、ノーズ１２の化粧面１２ａ内において挿入孔１１が占める専有面積を減少させることができ、ノーズ１２および装置全体の小型化に寄与することができる。しかも、ミニディスクＭＤを挿入する場合には、カートリッジＣＴの厚み寸法とコンパクトディスクＣＤの厚み寸法との違いを利用して、ディスク挿入孔１１の中央部分に形成された第１の挿入部１１ａを介してのみ挿入動作を行なえるようにしている。これにより、第１の挿入部１１ａを介してミニディスクＭＤを挿入した場合、この第１の挿入部１１ａの両側縁によってミニディスクＭＤのカートリッジＣＴが幅方向（図示左右方向）に位置規制され、カートリッジＣＴ内のディスクＤのセンターホール３の移動経路上にターンテーブル３０の中心が常に一致するようになり、確実な装填動作を行わせることができる。
　【００２４】
　図４に示すようにコンパクトディスクＣＤが第２のテーブル３２上に装填されると、図示（イ）で示す位置にあったクランパ２１が下降駆動されて（ロ）で示すクランプ位置に移動される。これにより、第２のテーブル３２上に載置されたコンパクトディスクＣＤはクランパ２１により弾性的に挟まれ、第２のテーブルとクランパ２１との磁気吸着力などによりクランプされる。このとき、固定部１３ａに設けられた停止部材１３ｂは図４に（ホ）で示す位置に移動しており、第２のテーブル３２は非ロック状態である。モータ２２が回転駆動されると、この駆動力は第１のテーブル３１、低摩擦部材３３を介して第２のテーブル３２に伝達されて、このテーブル３２上にクランプされたコンパクトディスクＣＤが回転駆動される。そして、図４にて（ニ）で示す位置に移動している光ピックアップ２３が外周側へトラッキング移動し、コンパクトディスクＣＤの最内周側のデータ領域からデータの読み出し動作が行われる。
　【００２５】
　一方、ディスク挿入孔１１からミニディスクＭＤが挿入されると、図６に示すように、カートリッジＣＴ内のディスクＤは第１のテーブル３１に装填され、クランピングプレート２がテーブル３１に磁気吸着されてクランプされる。ミニディスクＭＤが挿入されると停止部材１３ｂが上昇駆動され図６に（ヘ）で示す位置に移動し、第２のテーブル３２の停止用切欠部３２ｇに挿入される。これにより第２のテーブル３２がロック状態になる。この状態でモータ２２により駆動軸２２ａが駆動されると、低摩擦部材３３により第１のテーブル３１がスリップし、駆動軸２２ａに固定された第１のテーブル３１のみが回転し、ディスクＤが回転駆動される。
　【００２６】
　このとき、図３などに示すように、光ピックアップ用切欠部３２ｆが光ピックアップ２３の集光レンズ２３ａの移動経路上に位置し、この切欠部３２ｆさらにはカートリッジＣＴにてシャッタが開放された窓を経てレーザ光がディスクＤに照射できるようになる。従って、ミニディスクＭＤのディスクＤの最内周側のデータの読み出しを行うときに、光ピックアップ２３を図６に（ハ）で示す位置に移動した場合にも、第２のテーブル３２の外周部分にぶつかったりレーザー光が遮断されることがない。これにより、ミニディスクＭＤに記録されたデータを読み出すことができる。また、ミニディスクＭＤが装填された場合にも、図６に（ト）で示すようにクランパ２１がミニディスクＭＤのカートリッジＣＴの上面に弾性的に当接した状態となる。これにより、ミニディスクＭＤが挿入された場合に、クランパ２１によりカートリッジＣＴが下向きに押圧されカートリッジＣＴを安定して位置決めできる。
　【００２７】
　なお、上記実施例では、ターンテーブル３０の第２のテーブル３２に形成された停止用切欠部３２ｇに停止部材１３ｂを嵌合させることによりこの第２のテーブル３２をロックしているが、この停止部材１３ｂを設けず、光ピックアップ２３によって第２のテーブル３２をロックすることも可能である。この場合には、ミニディスクＭＤのディスクＤの記録領域を光ピックアップ２３が走査する際に、この光ピックアップ２３の集光レンズ２３ａを保持する光筒あるいは、光ピックアップ２３に設けたロック用突起を第２のテーブル３２の光ピックアップ用切欠部３２ｆに嵌合させればよい。
　【００２８】
　また、ディスク挿入孔としては図７に示すような形状としてもよい。図７に示すディスク挿入孔４０は、上記ミニディスクＭＤを挿入する第１の挿入部４１をコンパクトディスクＣＤ用の第２の挿入部４２の中央部にて上下両側に拡開させた形状である。さらに、ノーズの化粧面にディスク挿入孔１１，４０の他に図示カセットテープの挿入孔４３を別個に形成するとともに、この奥部側に磁気テープの駆動部を設けるようにしてもよい。これにより上記各ディスクへのデータの再生動作の他に磁気テープに記録されたデータを再生し又はデータを記録することができる。
　【００２９】
　また、上記実施例ではコンパクトディスクＣＤをターンテーブルに載置したときばかりでなく、ミニディスクＭＤを載置したときにもクランパを下降移動させるようにしていたが、ミニディスクＭＤが挿入されたときにはクランプ動作を行わないようにしてもよい。またミニディスクＭＤなどのディスクＤに対しては、再生だけでなくデータの書き込みができるようにしてもよい。また、図１と図２に示すディスク装置の挿入孔１１には、外形１２０ｍｍのコンパクトディスクに限られず、外形８０ｍｍのシングルコンパクトディスクを挿入できるようにすることも可能である。
　【００３０】
　【発明の効果】
　本発明のディスク装置であれば、カートリッジに収納されたディスクと、カートリッジに収納されない異なる規格のディスクを共通の挿入孔から挿入でき、化粧面等における挿入孔の専有面積を減少し、装置を小型化することが可能となる。
【図面の簡単な説明】
　【図１】　一実施例としてのディスク装置の外観を示す斜視図。
　【図２】　図１に示すディスク装置の挿入孔を示す正面図。
　【図３】　図１に示すディスク装置内部のターンテーブルを中心とする構造を示す上面図。
　【図４】　図３に示すターンテーブルの側面断面図。
　【図５】　図４に示すターンテーブルの分解斜視図。
　【図６】　ミニディスクをターンテーブルに載置したときの動作状態を示す説明図。
　【図７】　ディスクの挿入孔の一変形例を示す正面図。
　【図８】　コンパクトディスクを示す上面図。
　【図９】　（Ａ）はミニディスクを示す上面図、（Ｂ）は側面図。
　【図１０】　図９に示すミニディスクのカートリッジ内部に収納されたディスクの断面図。
　【符号の説明】
　１０　ディスク装置
　１１，４０　挿入孔
　１１ａ，４１　第１の挿入部
　１１ｂ，４２　第２の挿入部
　１２　ノーズ
　１２ａ　化粧面
　１３　機器本体
　１３ｂ　停止部材
　２１　クランパ
　２２　モータ
　２２ａ　駆動軸
　２３　光ピックアップ
　３０　ターンテーブル
　３１　第１のテーブル
　３２　第２のテーブル
　３２ｆ　光ピックアップ用切欠部
　３２ｇ　停止用切欠部
　３３　低摩擦部材